(57)【要約】【課題】ウィルスと誤判断されないファイルを生成可能な情報処理装置，プログラム，および情報処理方法を提供する。【解決手段】電子メールの添付ファイルの形式あるいは名称を変換し、添付ファイルの変換に関する情報を含む添付ファイル情報を生成し、電子メール，添付ファイル，および添付ファイル情報を送信し、電子メールを受信し、受信された電子メールに含まれる添付ファイル情報を基に、当該電子メールに添付された添付ファイルを復元することを特徴とする構成により提供可能である。【選択図】図８
2007299110.tif 000002
【特許請求の範囲】
【請求項１】
電子メールの添付ファイルを変換する添付ファイル変換手段と、
前記添付ファイルの変換に関する情報を含む添付ファイル情報を生成する添付ファイル情報生成手段と、
前記電子メール，前記添付ファイル，および前記添付ファイル情報を送信する電子メール送信手段と、
を備えることを特徴とする情報処理装置。
【請求項２】
電子メールを受信する電子メール受信手段と、
前記受信された電子メールに含まれる前記添付ファイル情報を基に、当該電子メールに添付された添付ファイルを復元する添付ファイル復元手段と、
を備えることを特徴とする情報処理装置。
【請求項３】
電子メールの添付ファイルを変換する添付ファイル変換手段と、
前記添付ファイルの変換に関する情報を含む添付ファイル情報を生成する添付ファイル情報生成手段と、
前記電子メール，前記添付ファイル，および前記添付ファイル情報を送信する電子メール送信手段と、
前記電子メールを受信する電子メール受信手段と、
前記受信された電子メールに含まれる前記添付ファイル情報を基に、当該電子メールに添付された添付ファイルを復元する添付ファイル復元手段と、
を備えることを特徴とする情報処理装置。
【請求項４】
前記添付ファイル変換手段は前記添付ファイルの形式を変換する請求項１または３に記載の情報処理装置。
【請求項５】
前記添付ファイル変換手段は前記添付ファイルの名称を変換する請求項１，３または４に記載の情報処理装置。
【請求項６】
前記添付ファイルを変換するための添付ファイル変換テーブルを備え、
前記添付ファイル変換手段は前記添付ファイル変換テーブルを用いて前記添付ファイルを変換する請求項１，３ないし５のいずれか１項に記載の情報処理装置。
【請求項７】
前記添付ファイル情報生成手段は、前記添付ファイル情報を前記電子メールの添付ファイルとして生成する請求項１，３ないし６のいずれか１項に記載の情報処理装置。
【請求項８】
前記添付ファイル情報生成手段は、前記添付ファイル情報を前記電子メールの本文の一部として生成する請求項１，３ないし７のいずれか１項に記載の情報処理装置。
【請求項９】
前記添付ファイル情報は前記電子メールの添付ファイルである請求項２または３に記載の情報処理装置。
【請求項１０】
前記添付ファイル情報は前記電子メールの本文の一部である請求項２，３または９のいずれか１項に記載の情報処理装置。
【請求項１１】
電子メールの添付ファイルの形式あるいは名称を変換し、
前記添付ファイルの変換に関する情報を含む添付ファイル情報を生成し、
前記電子メール，前記添付ファイル，および前記添付ファイル情報を送信することを特徴とする情報処理方法。
【請求項１２】
電子メールを受信し、
前記受信された電子メールに含まれる添付ファイル情報を基に、当該電子メールに添付された添付ファイルを復元することを特徴とする情報処理方法。
【請求項１３】
電子メールの添付ファイルの形式あるいは名称を変換し、
前記添付ファイルの変換に関する情報を含む添付ファイル情報を生成し、
前記電子メール，前記添付ファイル，および前記添付ファイル情報を送信し、
前記電子メールを受信し、
前記受信された電子メールに含まれる前記添付ファイル情報を基に、当該電子メールに添付された添付ファイルを復元することを特徴とする情報処理方法。
【請求項１４】
コンピュータに、電子メールの添付ファイルの形式あるいは名称を変換する添付ファイル変換ステップと、
前記添付ファイルの変換に関する情報を含む添付ファイル情報を生成する添付ファイル情報生成ステップと、
前記電子メール，前記添付ファイル，および前記添付ファイル情報を送信する電子メール送信ステップとを実行させるためのプログラム。
【請求項１５】
コンピュータに、電子メールを受信する電子メール受信ステップと、
前記受信された電子メールに含まれる前記添付ファイル情報を基に、当該電子メールに添付された添付ファイルを復元する添付ファイル復元ステップとを実行させるためのプログラム。
【請求項１６】
コンピュータに、電子メールの添付ファイルの形式あるいは名称を変換する添付ファイル変換ステップと、
前記添付ファイルの変換に関する情報を含む添付ファイル情報を生成する添付ファイル情報生成ステップと、
前記電子メール，前記添付ファイル，および前記添付ファイル情報を送信する電子メール送信ステップと、
前記電子メールを受信する電子メール受信ステップと、
前記受信された電子メールに含まれる前記添付ファイル情報を基に、当該電子メールに添付された添付ファイルを復元する添付ファイル復元ステップとを実行させるためのプログラム。
【発明の詳細な説明】
【技術分野】
【０００１】
本発明は、ウィルスと誤判断されないファイルを生成可能な情報処理装置，プログラム，および情報処理方法に関するものである。
【背景技術】
【０００２】
近年、電子メールにウィルスが添付された、いわゆるウィルスメールによるパーソナルコンピュータ（以下、ＰＣと略称）への感染被害が増大している。電子メールの本文および添付ファイルのウィルスチェッカーとして、ウイルスバスター（トレンドマイクロ株式会社の登録商標）等が知られている（非特許文献１参照）。ウィルスチェッカーは、電子メールを受信するパーソナルコンピュータ等の情報処理装置側にウィルスのパターンファイルを格納しており、受信したデータ（電子メール，添付ファイル等）とパターンファイルとをパターンマッチングすることによりウィルスの感染の有無を判断する。
【０００３】
また、電子メールの配信を行う電子メールサーバにもウィルスチェッカーが含まれ、ウィルスの感染の有無を判断している（特許文献１参照）。このように、電子メールの配信側と受信側との双方でウィルスチェックを行うことで、電子メールによるウィルスの感染を防止している。
【０００４】
また、電子メールの添付ファイルが電子メール本文とは別のフォルダに納められた後にも、当該添付ファイルに対するウィルス対策を可能とする情報処理装置が考案されている（特許文献２参照）。
【０００５】
【非特許文献１】トレンドマイクロ株式会社のホームページ、インターネット＜ＵＲＬ：ｈｔｔｐ：／／ｗｗｗ．ｔｒｅｎｄｍｉｃｒｏ．ｃｏ．ｊｐ／＞  平成１８年２月２日検索
【特許文献１】特開２００２−３６８８２０号公報
【特許文献２】特開２００４−１３３５０３号公報
【発明の開示】
【発明が解決しようとする課題】
【０００６】
ウィルスは、例えば、特定のファイル名や“ｅｘｅ”，”ｚｉｐ”等のファイル拡張子を用いて偽装されることが多い。また、ウィルスは特有のコードを含んでいることが多い。そこで、従来技術では、ファイルリストやパターンファイルを用いて、添付ファイルのファイル名あるいは拡張子が所定のものである場合や、添付ファイルに特定のコードが含まれている場合は、その添付ファイルを削除あるいは隔離してメール受信者のＰＣがウィルスに感染しないようにしている。
【０００７】
上記のようなファイル名やファイル拡張子でウィルスを判定する方法では、ウィルスでないファイルもウィルスと誤判断され、メールサーバにおいてメール本文や添付ファイルが削除あるいは隔離され、ＰＣで受信できないという問題がある。
【０００８】
上記問題を背景として、本発明の課題は、ウィルスと誤判断されないファイルを生成可能な情報処理装置，プログラム，および情報処理方法を提供することにある。
【課題を解決するための手段および発明の効果】
【０００９】
上記課題を解決するための情報処理装置は、電子メールの添付ファイルを変換する添付ファイル変換手段と、添付ファイルの変換に関する情報を含む添付ファイル情報を生成する添付ファイル情報生成手段と、電子メール，添付ファイル，および添付ファイル情報を送信する電子メール送信手段と、を備えることを特徴とする。
【００１０】
上記構成によって、添付ファイルを上述のパターンファイルにマッチしないものに変換すれば、メールサーバではウィルスと誤判断されずに宛先に送信することが可能となる。また、添付ファイル情報には添付ファイルをどのように変換したかの情報が含まれているので、電子メールを受信した側での添付ファイルの復元を容易にすることができる。
【００１１】
また、上記課題を解決するための情報処理装置は、電子メールを受信する電子メール受信手段と、受信された電子メールに含まれる添付ファイル情報を基に、当該電子メールに添付された添付ファイルを復元する添付ファイル復元手段と、を備えることを特徴とする。
【００１２】
上記構成によって、添付ファイルを受信したユーザは、メール送信者に復元方法を問い合わせることなく添付ファイル情報に基づいて添付ファイルを復元することで、添付ファイルの内容の確認を容易に行うことが可能となる。また、当該メールあるいは添付ファイルがメールサーバにおいてウィルスと誤判断されて受信できないという問題も解消される。
【００１３】
また、上記課題を解決するための情報処理装置は、電子メールの添付ファイルを変換する添付ファイル変換手段と、添付ファイルの変換に関する情報を含む添付ファイル情報を生成する添付ファイル情報生成手段と、電子メール，添付ファイル，および添付ファイル情報を送信する電子メール送信手段と、電子メールを受信する電子メール受信手段と、受信された電子メールに含まれる添付ファイル情報を基に、当該電子メールに添付された添付ファイルを復元する添付ファイル復元手段と、を備えることを特徴とする。
【００１４】
上記構成によって、添付ファイルを上述のパターンファイルにマッチしないものに変換すれば、メールサーバではウィルスと誤判断されずに宛先に送信することが可能となる。また、添付ファイル情報には添付ファイルをどのように変換したかの情報が含まれているので、電子メールを受信した側での添付ファイルの復元を容易にすることができる。また、添付ファイルを受信したユーザは、メール送信者に復元方法を問い合わせることなく添付ファイル情報に基づいて添付ファイルを復元することで、添付ファイルの内容の確認を容易に行うことが可能となる。また、当該メールあるいは添付ファイルがメールサーバにおいてウィルスと誤判断されて受信できないという問題も解消される。
【００１５】
また、本発明の情報処理装置における添付ファイル変換手段は添付ファイルの形式を変換するように構成することもできる。
【００１６】
上記構成によって、メールサーバでウィルスと判断されやすいコード等を含むファイルは、そのコード等をウィルスと判断される可能性の低いものに変換することで、メールサーバによってウィルスと誤判断されずに宛先に送信することが可能となる。
【００１７】
また、本発明の情報処理装置における添付ファイル変換手段は添付ファイルの名称を変換するように構成することもできる。
【００１８】
上記構成によって、メールサーバでウィルスと判断されやすい“ｅｘｅ”，”ｚｉｐ”のような拡張子を有する形式のファイルは、その拡張子をウィルスと判断される可能性の低いものに変換することで、メールサーバによってウィルスと誤判断されずに宛先に送信することが可能となる。
【００１９】
また、本発明の情報処理装置は、添付ファイルを変換するための添付ファイル変換テーブルを備え、添付ファイル変換手段は添付ファイル変換テーブルを用いて添付ファイルを変換するように構成することもできる。
【００２０】
上記構成によって、例えばウィルスチェッカーのパターンファイルのように、過去にウィルスと判定されたファイル形式あるいはファイル名称を添付ファイル変換テーブルに含めることで、添付ファイル変換時にはウィルスと判定されにくいファイル形式あるいはファイル名称に変換されるので、メールサーバによってウィルスと誤判断されずに宛先に送信することが可能となる。また、添付ファイル変換テーブルの参照と添付のファイル変換とを自動化すれば、メール送信者の操作負荷を増大させることなく、添付ファイルの変換を行うことが可能となる。
【００２１】
また、本発明の情報処理装置における添付ファイル情報生成手段は、添付ファイル情報を電子メールの添付ファイルとして生成するように構成することもできる。
【００２２】
上記構成によって、添付ファイル情報を電子メールの宛先に確実に伝えることが可能となる。
【００２３】
また、本発明の情報処理装置における添付ファイル情報生成手段は、添付ファイル情報を電子メールの本文の一部として生成するように構成することもできる。
【００２４】
上記構成によっても、添付ファイル情報を電子メールの宛先に確実に伝えることが可能となる。
【００２５】
また、本発明の情報処理装置における添付ファイル情報は電子メールの添付ファイルであるように構成することもできる。
【００２６】
上記構成によって、当該電子メールを受信したユーザは、添付された添付ファイル情報を参照することで、添付ファイルを復元することが可能となる。
【００２７】
また、本発明の情報処理装置における添付ファイル情報は電子メールの本文の一部であるように構成することもできる。
【００２８】
上記構成によっても、当該電子メールを受信したユーザは、メール本文を参照することで、添付ファイルを復元することが可能となる。
【００２９】
また、上記課題を解決するための情報処理方法は、電子メールの添付ファイルの形式あるいは名称を変換し、添付ファイルの変換に関する情報を含む添付ファイル情報を生成し、電子メール，添付ファイル，および添付ファイル情報を送信することを特徴とする。
【００３０】
上記構成によって、請求項１と同様の作用・効果を得ることができる。
【００３１】
また、上記課題を解決するための情報処理方法は、電子メールを受信し、受信された電子メールに含まれる添付ファイル情報を基に、当該電子メールに添付された添付ファイルを復元することを特徴とする。
【００３２】
上記構成によって、請求項２と同様の作用・効果を得ることができる。
【００３３】
また、上記課題を解決するための情報処理方法は、電子メールの添付ファイルの形式あるいは名称を変換し、添付ファイルの変換に関する情報を含む添付ファイル情報を生成し、電子メール，添付ファイル，および添付ファイル情報を送信し、電子メールを受信し、受信された電子メールに含まれる添付ファイル情報を基に、当該電子メールに添付された添付ファイルを復元することを特徴とする。
【００３４】
上記構成によって、請求項３と同様の作用・効果を得ることができる。
【００３５】
また、上記課題を解決するためのプログラムは、コンピュータに、電子メールの添付ファイルの形式あるいは名称を変換する添付ファイル変換ステップと、添付ファイルの変換に関する情報を含む添付ファイル情報を生成する添付ファイル情報生成ステップと、電子メール，添付ファイル，および添付ファイル情報を送信する電子メール送信ステップとを実行させるためのものである。
【００３６】
上記プログラムをコンピュータに実行させることで、請求項１と同様の作用・効果を得ることができる。
【００３７】
また、上記課題を解決するためのプログラムは、コンピュータに、電子メールを受信する電子メール受信ステップと、受信された電子メールに含まれる添付ファイル情報を基に、当該電子メールに添付された添付ファイルを復元する添付ファイル復元ステップとを実行させるためのものである。
【００３８】
上記プログラムをコンピュータに実行させることで、請求項２と同様の作用・効果を得ることができる。
【００３９】
また、上記課題を解決するためのプログラムは、コンピュータに、電子メールの添付ファイルの形式あるいは名称を変換する添付ファイル変換ステップと、添付ファイルの変換に関する情報を含む添付ファイル情報を生成する添付ファイル情報生成ステップと、電子メール，添付ファイル，および添付ファイル情報を送信する電子メール送信ステップと、電子メールを受信する電子メール受信ステップと、受信された電子メールに含まれる添付ファイル情報を基に、当該電子メールに添付された添付ファイルを復元する添付ファイル復元ステップとを実行させるためのものである。
【００４０】
上記プログラムをコンピュータに実行させることで、請求項３と同様の作用・効果を得ることができる。
【発明を実施するための最良の形態】
【００４１】
ウィルスと誤判断されないファイルを生成可能な情報処理装置，プログラム，および情報処理方法を提供する目的を、電子メールの添付ファイルの形式あるいは名称を変換し、添付ファイルの変換に関する情報を含む添付ファイル情報を生成し、電子メール，添付ファイル，および添付ファイル情報を送信し、電子メールを受信し、受信された電子メールに含まれる添付ファイル情報を基に、当該電子メールに添付された添付ファイルを復元する構成により実現した。
【実施例】
【００４２】
以下、本発明の情報処理装置，プログラム，および情報処理方法の実施形態を、図面を参照しながら説明する。図１に、電子メールシステム１０の構成図を示す。電子メールシステム１０はクライアントＰＣ１，２がインターネット３を介してメールサーバ４，５に接続されている。クライアントＰＣ１のユーザＡ（図示せず）がクライアントＰＣ２のユーザＢ（図示せず）宛に電子メール（以下、メールと略称することもある）を送信する場合、まず、クライアントＰＣ１からインターネット３経由でユーザＡのメールを管理するメールサーバ４にメールが送られる。次に、メールサーバ４からユーザＢのメールを管理するメールサーバ５に該メールが転送され、メールサーバ５に含まれるユーザＢの受信箱に蓄積される。そして、メールサーバ５に蓄積されたメールは、ユーザＢからの受信要求があった場合にメールサーバ５からクライアントＰＣ２にダウンロード（受信）される。
【００４３】
図１の例はプロバイダ等のメールサーバを利用する形態であるが、クライアントＰＣ１とメールサーバ４とがＬＡＮ（Local  Area  Network）接続される構成でもよい。
【００４４】
図２に示すように、クライアントＰＣ（以下、ＰＣと略称）１は、周知のパーソナルコンピュータとして構成され、ＨＤＤ（Hard  Disk  Drive）１３，通信Ｉ／Ｆ（Interface）１４，表示部１５，操作部１６，およびこれらが接続された制御回路１２を備えている。なお、クライアントＰＣ２もＰＣ１と同様の構成である。
【００４５】
ＨＤＤ１３には、ＰＣ１を作動させるオペレーティングシステム（ＯＳ）として機能するＯＳプログラム１３Ｓと、ＯＳ１３Ｓ上で稼動するアプリケーションとして機能するアプリケーションプログラム１３Ｐと、同じくＯＳ１３Ｓ上で稼動するメーラープログラム１３Ｍと、添付ファイル変換テーブル１３Ｔ，添付ファイル判定テーブル１３Ｖ（詳細は後述）等が記憶されている。
【００４６】
通信Ｉ／Ｆ１４は、インターネット３等の通信ネットワークとの間のインターフェース機能を有するネットワークアダプタを含んで構成される。なお、通信Ｉ／Ｆ１４が本発明の電子メール送信手段および電子メール受信手段に相当する。
【００４７】
表示部１５は、液晶ディスプレイやＣＲＴディスプレイ等の表示器により構成される。操作部１６は、マウス等のポインティングデバイスやキーボードなどの操作手段により構成される。
【００４８】
制御回路１２は、例えばマイクロコンピュータとして構成されており、ＣＰＵ１２ａ，ＲＯＭ１２ｂ，ＲＡＭ１２ｃ，入出力インターフェース（Ｉ／Ｏ）１２ｄおよびこれらの構成を接続するバスライン１２ｅを備えている。ＣＰＵ１２ａは、ＨＤＤ３に記憶されたＯＳプログラム１３Ｓに基づいて制御を行う。ＯＳプログラム１３Ｓは、ＲＡＭ１２ｃ上にてＯＳ用ワークメモリ１２Ｓを作業領域とする形で実行される。また、アプリケーションプログラム１３Ｐ，メーラープログラム１３Ｍは、それぞれＲＡＭ１２ｃ上においてアプリケーション用ワークメモリ１２Ｐ，メーラープログラム用ワークメモリ１２Ｍを作業領域とする形で実行される。なお、制御回路１２が本発明の添付ファイル変換手段，添付ファイル情報生成手段，および添付ファイル復元手段に相当する。
【００４９】
メールサーバ４，５は、周知のワークステーションあるいはパーソナルコンピュータにより構成され、上述のようなウィルスチェッカを含み、電子メールの本文および添付ファイルのウィルスチェックを行っている。
【００５０】
図３のフロー図と、図４から図１０を用いて、本発明の電子メール送信処理について説明する。なお、本処理はメーラープログラム１３Ｍにおいて実行される。まず、ＰＣ１でメーラープログラム１３Ｍを起動すると、図４のようなメーラーウィンドウが表示される。そのメーラーウィンドウのメニューアイコンから「新規作成」をクリックして送信するメールを作成する（Ｓ１）。
【００５１】
図５に送信するメールの作成例を示す。宛先を指定し、件名，本文を作成し、添付ファイルがある場合（Ｓ２：Ｙｅｓ）、メニューアイコンの「添付」をクリックして添付ファイルを指定する。このとき、添付ファイル判定テーブル３Ｖ（図６：後述）を参照して、添付したいファイル「ａａａ．ｄｏｃ」がメールサーバ４のウィルスチェッカーにおいてウィルスと判定される可能性が高いと判断された場合（Ｓ３：Ｙｅｓ）、図７のように警告ダイアログが表示され（Ｓ４）、ユーザは表示にしたがってどう処置するかを選択する。
【００５２】
図６に添付ファイル判定テーブル３Ｖの一例を示す。添付ファイル判定テーブル３Ｖには、ウィルスチェッカーにおいてウィルスと判定される可能性が高いファイルの名称および拡張子のリストが含まれる。この添付ファイル判定テーブル３Ｖに添付ファイルのファイル名あるいは拡張子のいずれかが含まれている場合、ウィルスと判定される可能性が高いと判断される。
【００５３】
ユーザにより処置が選択された場合、図７の警告ダイアログの例では、「ＺＩＰ形式で圧縮して名前を変更」が選択されているので（Ｓ５：Ｙｅｓ）、まず、添付ファイル「ａａａ．ｄｏｃ」を周知のファイル圧縮プログラムを用いてＺＩＰ形式で圧縮し「ａａａ．ＺＩＰ」を作成する。次に、図１０の添付ファイル変換テーブル１３Ｔを参照し、変換前拡張子が「ＺＩＰ」である項目を検索する。そして、検索された項目の内容にしたがって拡張子を「ＺＩＰ」から「ＺＩ＿」に変更する。このとき、添付ファイル変換テーブル１３Ｔの添付ファイル情報の内容を含む「添付ファイル情報．ｔｘｔ」も作成される。最後に、図８のように、これら「ａａａ．ＺＩ＿」および「添付ファイル情報．ｔｘｔ」がメールに添付される（Ｓ６）。
【００５４】
上述の例で、ファイルの変換は圧縮のみで圧縮後のファイル名「ａａａ．ＺＩＰ」を変更しない構成でもよい。また、添付ファイル情報をメール本文に含めてもよい（図９参照）。
【００５５】
ウィルスと判定される可能性が高いと判断された場合（Ｓ３：Ｙｅｓ）、図７のような警告ダイアログを表示せずに、直ちに添付ファイルの変換（Ｓ６）を行ってもよい。この場合、図８のように添付ファイル情報がメールに添付される場合には、添付ファイルを変換した旨のダイアログを表示してもよい（図１５参照）。
【００５６】
そして、図８のメニューアイコンの「送信」がクリックされると（Ｓ７：Ｙｅｓ）メールが「ａａａ．ＺＩ＿」および「添付ファイル情報．ｔｘｔ」とともにメールサーバ４に送信される（Ｓ８）。
【００５７】
図１０に添付ファイル変換テーブル１３Ｔの一例を示す。添付ファイル変換テーブル１３Ｔは、変更前のファイル拡張子，変更後のファイル拡張子，および添付ファイルをどのように変換するかを示す添付ファイル情報を含んで構成される。また、図１１のように、添付ファイル変換テーブル１３Ｔを拡張子はそのままでファイル名のみを変更する構成としてもよい。
【００５８】
メールサーバ（４，５）の構成によっては、「ユーザＡからユーザＢ宛にメールが届いたが、ウィルスを含むため削除した」旨の通知をユーザＢに送るものがある。この内容をユーザＡ宛に送り、ユーザＡが添付ファイル変換テーブル１３Ｔを更新可能な構成としてもよい。添付ファイル変換テーブル１３Ｔをテキストファイル形式で構成すれば、周知のテキストエディタで編集可能となる。また、ユーザＡが自分宛に添付ファイル付きメールを送信して、その添付ファイルがウィルスと誤認されるかどうかを調べ、その結果に基づいて添付ファイル変換テーブル１３Ｔを編集してもよい。
【００５９】
また、メールの宛先のメールサーバ毎に添付ファイル変換テーブル１３Ｔを作成してもよい。このとき、添付ファイル変換テーブル１３Ｔにはメールサーバ情報（メールアドレスの「＠」よりも右に表示されるドメイン名等）が含まれる。そして、宛先のメールサーバに対応した添付ファイル変換テーブルが参照されて、添付ファイルが変換される。
【００６０】
図１２のフロー図と、図１３，図１４とを用いて、本発明の電子メール受信処理について説明する。なお、本処理はメーラープログラム１３Ｍにおいて実行される。まず、ＰＣ２でメーラープログラム１３Ｍを起動すると、図４のようなメーラーウィンドウが表示される。そのメーラーウィンドウのメニューアイコンから「受信」をクリックして（Ｓ１１：Ｙｅｓ）メールサーバ５に受信要求を送り（Ｓ１２）、メールサーバ５に蓄積されているメールを受信（ダウンロード）する（Ｓ１３：Ｙｅｓ，Ｓ１４）。
【００６１】
受信されたメールは図４のメーラーウィンドウのように、受信トレイに一覧表示される。操作部１６の操作により読みたいメールを選択すると（Ｓ１５：Ｙｅｓ）、図１３のように選択されたメールが表示される（Ｓ１６）。このとき、選択されたメールに添付ファイルがある場合（Ｓ１７：Ｙｅｓ）、ユーザに添付ファイルを復元するかどうかを問い合わせるダイアログが表示される（Ｓ１８）。ここで、「はい」がクリックされると（Ｓ１９：Ｙｅｓ）、「添付ファイル情報．ｔｘｔ」の内容にしたがって添付ファイルが復元される（Ｓ２０）。
【００６２】
「添付ファイル情報．ｔｘｔ」の内容は、「添付ファイルは、ＺＩＰ形式で圧縮し、拡張子をＺＩ＿に変更しました。ファイルを拡張子をＺＩＰに変更して保存し、ファイルを解凍してください。」であるので、メーラープログラム１３Ｍにおいて、周知のテキスト形式のデータから所定の文字列を抽出する方法により、「拡張子」，「ＺＩＰ」，「変更」，「解凍」を抽出する。そして、抽出されて文字列にしたがって、添付ファイル「ａａａ．ｚｉ＿」を「ａａａ．ｚｉｐ」に変更し、周知のファイル解凍プログラムを用いて「ａａａ．ｚｉｐ」の解凍を行い、「ａａａ．ｄｏｃ」を得る。ファイルの復元が終了したら、図１４のように添付ファイル欄には「ａａａ．ｄｏｃ」のみが表示される。添付ファイル情報がメール本文に含まれる場合も同様である。
【００６３】
また、メールを選択時（Ｓ１５：Ｙｅｓ）に、メーラープログラム１３Ｍにおいて添付ファイルの有無を調べ、添付ファイルがある場合（Ｓ１７：Ｙｅｓ）図１３のようなダイアログを表示することなく、すなわちユーザの添付ファイル復元指示を必要とすることなく、添付ファイルを復元する構成としてもよい。図１２の例では、ステップＳ１７がＹｅｓの場合は直ちにステップＳ２０が実行され、図１４のダイアログが表示される。
【００６４】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００６５】
【図１】電子メールシステムの構成図。
【図２】クライアントＰＣのブロック図。
【図３】メール送信処理を説明するフロー図。
【図４】メーラーウィンドウの表示例を示す図。
【図５】送信メールの作成例を示す図。
【図６】添付ファイル判定テーブルの一例を示す図。
【図７】警告ダイアログの一例を示す図。
【図８】添付ファイル変換後の送信メールの例を示す図。
【図９】添付ファイル変換後の送信メールの別の例を示す図。
【図１０】添付ファイル変換テーブルの一例を示す図。
【図１１】添付ファイル変換テーブルの別の例を示す図。
【図１２】メール受信処理を説明するフロー図。
【図１３】受信メールウィンドウの表示例を示す図。
【図１４】図１３に続く受信メールウィンドウの表示例を示す図。
【図１５】添付ファイル変換後のダイアログ表示の一例を示す図。
【符号の説明】
【００６６】
１，２    クライアントＰＣ
３    インターネット
４，５    メールサーバ
１０    電子メールシステム
１２    制御回路（添付ファイル変換手段，添付ファイル情報生成手段，添付ファイル復元手段）
１３Ｍ  メーラープログラム
１３Ｔ  添付ファイル変換テーブル
１４    通信Ｉ／Ｆ（電子メール送信手段，電子メール受信手段）
【図１】
2007299110.tif 000003
【図２】
2007299110.tif 000004
【図３】
2007299110.tif 000005
【図４】
2007299110.tif 000006
【図５】
2007299110.tif 000007
【図６】
2007299110.tif 000008
【図７】
2007299110.tif 000009
【図８】
2007299110.tif 000010
【図９】
2007299110.tif 000011
【図１０】
2007299110.tif 000012
【図１１】
2007299110.tif 000013
【図１２】
2007299110.tif 000014
【図１３】
2007299110.tif 000015
【図１４】
2007299110.tif 000016
【図１５】
2007299110.tif 000017